(57)【特許請求の範囲】
【請求項１】
シャーシと、シャーシに接続され、並進軸に沿ってシャーシに対し移動可能であり、中央質量要素及び中央質量要素に対して同心円状に配列された少なくとも１つの質量要素を含むラジエータ本体とを備えるパッシブラジエータにおいて、
近傍の２つの質量要素を移動可能に相互接続し、前記シャーシの要素に前記質量要素を移動可能に固定する複数の接続ユニットを更に備え、
前記接続ユニットは、それぞれ近傍の２つの質量要素が固定される２つの弾性を有する環状の接続リムを有し、
前記接続リムは、前記接続ユニットに固定された前記質量要素間に延在し気体の媒体が充填された密閉室を仕切り、
前記密閉室は、前記中央質量要素と隣り合う接続ユニットの接続リムの間に少なくとも延在し、
前記中央質量要素は、前記質量要素と共に質量ばね系を形成し、隣り合う前記接続ユニットの前記接続リム間の位置まで延在する突出部を有し、
前記質量ばね系は、略同一の共振周波数を有することを特徴とするパッシブラジエータ。
【請求項２】
請求項１記載のパッシブラジエータにおいて、
前記密閉室は、前記密閉室に延在した前記突出部によって前記気体の媒体の移動を減衰する減衰手段を有することを特徴とするパッシブラジエータ。
【請求項３】
請求項１または２記載のパッシブラジエータにおいて、
前記突出部は、前記中央質量要素の部分を形成する多孔性材料の環状体であることを特徴とするパッシブラジエータ。
【請求項４】
ダイナミックスピーカーと請求項１乃至請求項３のいずれか１項に記載の前記パッシブラジエータとを収容する筐体を備えることを特徴とするスピーカーシステム。
【請求項５】
請求項４に記載のスピーカーシステムにおいて、
前記質量要素の数は２であり、前記質量ばね系の共振周波数は前記ダイナミックスピーカーと前記パッシブラジエータを備える前記筐体のヘルムホルツ周波数に等しいことを特徴とするスピーカーシステム。
【請求項６】
請求項４又は請求項５に記載のスピーカーシステムを備えることを特徴とする音響映像装置。
【発明の詳細な説明】
【０００１】
本発明は、シャーシと、シャーシに柔軟に接続されシャーシに対して並進軸に沿って移動可能なラジエータ本体とを有したパッシブラジエータに関する。
【０００２】
WO-A97/46047（PHN 15.840）は、シャーシと、質量要素と、質量要素とシャーシとの間に延在するサブシャーシとを含み、質量要素が、サブシャーシに第１の弾性サスペンションリングによって移動可能に固定された、パッシブラジエータを開示する。質量要素の最大の軸方向の逸脱量は、各サスペンションリングの最大の軸方向の逸脱量の合計によって定義される。質量要素の比較的大きい軸方向の逸脱量と比較的高い軸方向の可撓性との組み合わせを要求する使用の場合、サスペンションリングによって形成されるサスペンションが、望ましくないノイズを作動時に発生してしまうようなひずみを呈することが、見出されている。
【０００３】
本発明の目的は、冒頭部に定義された種類のパッシブラジエータを改善して、望ましくないノイズの発生を抑制せんとするものである。
【０００４】
この目的は、本発明によるパッシブラジエータにより達成され、このパッシブラジエータは、シャーシと、シャーシに接続され、中央質量要素及び中央質量要素に対して同心円状に配列された少なくとも一の質量要素を含むラジエータ本体とを含み、並進軸に沿ってシャーシに対し移動可能であり、また、接続ユニットが、２つの近傍の質量要素ごとを移動可能に相互接続し、シャーシの要素に質量要素の一を移動可能に固定するために設置されており、接続ユニットのそれぞれは、該要素の部分を形成する２つの近傍の要素が固定される２つの弾性の環状の接続リムを含み、少なくとも一の接続ユニットの接続リムは、該ユニットに固定される要素間に延在しガス状の媒体を充填した密閉室を仕切り、近傍の接続ユニットを備えた中央質量要素は、近傍の接続リムを備えた同心円状に配列された各質量要素と共に、質量ばね系を形成し、このように画成された全ての質量ばね系は、少なくとも略同一である共振周波数を有する。
【０００５】
接続リングとも称される弾性の接続リムによって相互結合される２若しくはそれ以上の質量要素の使用によって、存在する各質量要素が使用中の全体の空気変動に寄与する複数のサスペンションを、備えた構成がもたらされる。接続リムは、使用時を考慮してリング状である。質量要素は、動作時のラジエータ本体の並進軸に沿って近傍の質量要素に対して個々に移動を行い、結果として、個々の移動の累積であるシャーシに対する変位を生む。比較的大きな質量要素の変位は、相当な体積変動が比較的小さいラジエータ本体によって達成されるようになる。非励振共振を抑制し、結果として使用時の望ましくないノイズの発生を抑制するため、上で定義した本発明によるパッシブラジエータに存在する質量ばね系は、同一若しくは事実上同一の共振周波数を有する。請求項１に定義されるような一若しくはそれ以上の閉じた即ち閉塞された室の使用の結果、ラジエータ本体の並進運動は、一若しくはそれ以上の接続ユニットの接続リムの間に存在するガス状の媒体に圧力変動を生む。ラジエータ本体の振れの並進運動の場合、これらの圧力変動は、圧力上昇であり、サスペンションの挙動に、特に、各々の一若しくは複数の接続ユニットの接続リムに好ましい影響を与える。実際には、圧力上昇は、結果として、一若しくは複数の密閉室から生じると共に、フラッピング、フラッタリング、若しくはバックリングのような不安定な態様で挙動し望ましくないノイズを発生することを防止する、各々の接続リムに負荷される圧力を、もたらす。この処置は、薄い接続リムを使用でき、これにより、ラジエータ本体の並進方向に達成されるべき、接続リムによって形成されたサスペンションの軸方向の高い可撓性、即ち低い剛性が可能となるという効果を更に有する。全体の配列の軸方向における全体の可撓性に対する決定的なファクターは、特に、一若しくは複数の密閉室にある媒体のコンプライアンス及びサスペンションの変形である。ガス状の媒体として、ガス、空気、若しくはその他のガス混合物が使用されてよい。
【０００６】
本発明によるパッシブラジエータの実施例は、接続ユニットが、質量要素のラジエータ本体の並進軸に沿った移動を主に許容し、他の移動を抑制することを特徴とする。この実施例では、質量要素が、動作中に相互に対して望ましくない回転運動を行うことにより、音声再生に歪みをもたらしうることが防止される。使用される環状の接続リムは、ポリウレタン若しくはゴムのようなとりわけ知られた弾性材料から生成されてよく、好ましくは、折り重ね形若しくは波形の構造を有する。
【０００７】
本発明によるパッシブラジエータの実施例は、密閉室が、中央質量要素と隣り合う接続ユニットの接続リムの間に少なくとも延在することを特徴とする。
【０００８】
上述のようなパッシブラジエータの実施例は、好ましくは、中央質量要素が、中央質量要素と隣り合う接続ユニットの接続リムの間の位置まで延在する突出部を有することを特徴とする。この特徴的な特性の使用により、密閉室の低減が生じ、ラジエータ本体が移動するときより大きな圧力が導かれる。この効果は、非常に薄い接続リム、好ましくは、薄膜のリムを使用できることである。
【００１０】
本発明によるパッシブラジエータの実施例は、密閉室が、ガス状の媒体の移動を減衰する減衰手段を含むことを特徴とする。この特徴的な特性を使用することによって、質量ばね系の機械的なファクターを低減することができ、結果として、相互の共振を非常に効果的に減衰させてなくすことになる。
【００１１】
上述した実施例では、減衰手段は、好ましくは、ポリウレタンフォームのような気泡材料を一例とする多孔性の材料からなる環状体を含む。かかる材料は、小さな開放気泡構造を有する。動作時、例えばラジエータが並進を行うとき、密閉室にあるガス状の媒体は、気泡構造を通って流れる。この流れは、ラジエータ本体の環境に対する並進運動に対して機械的な抵抗を呈する。
【００１２】
本発明のよるラジエータの実際的な実施例は、多孔性材料の環状体が、ラジエータ本体の中央質量要素の部分を形成することを特徴とする。このとき、環状体は、中央質量要素に固定される部品であってよい。中央質量要素には、同調用質量が設けられてよく、この目的のため、くぼみ若しくはキャビティが設けられてよい。
【００１３】
本発明のよるラジエータの実施例は、質量要素の数が２、３若しくは４であることを特徴とする。それ以上の質量要素を使用することは可能であるが２、３若しくは４つの質量要素を使用した構成は、十分満足的なものであり、且つ、望ましくないノイズから解放され大きな逸脱を有する信頼性のあるラジエータを得るべく良好に実現されることができることが見出されている。
【００１４】
本発明のよるラジエータの実施例は、接続リムの形状が相互に同一であることを特徴とする。この実施例は、各質量要素に近傍の一若しくは複数の質量要素を基準とした同一の最大の軸方向の逸脱を付与することが目的である場合が好ましい。実際の実施例では、接続リムは、例えばル形状であってよい。更なる接続リムは、好ましくは、対称性のため相互に対して鏡像の位置に配列されて、逸脱及び質量要素の振幅における非対称性を防止するようにする。
【００１５】
本発明のよるラジエータの実施例は、少なくとも多数の接続リムが、中央質量要素から離れる方向に増加していく相互に異なる大きさであることを特徴とする。この処置によって、環状の質量要素は、相対的な意味で、即ち中心に若しくはより中心側に配置された近傍の質量要素に対して、より大きな相対変位を実行することができるようになる。この構成の効果は、接続ユニットが接続リムの望ましくない変形を引き起こす振れがない最適な態様で使用されることである。
【００１６】
更に、本発明は、ダイナミックスピーカーとパッシブラジエータとを収容する筐体若しくはキャビネットを含みスピーカーシステムに関する。スピーカーは、とりわけ知られているどんなタイプのものであってもよい。本発明によるスピーカーシステムに使用されるパッシブラジエータは、請求項１乃至３のうちいずれか１項に記載されるように構成される。本発明によるシャーシのパッシブラジエータの接続ユニットは、質量要素が筐体での圧力変動の影響を受けて良好に画成された相互変位をできるようにし、それにより、達成すべき比較的に高い音圧を可能とする。筐体での圧力変動の影響を受け、かかるシステムの多様な接続ユニットは、ラジエータの全体の移動質量とシステムのいわゆるヘルムホルツ共鳴である同調周波数とに完全に適合された逸脱を可能とする。上述した理由のため、与えられた質量ばね系の共振周波数は、好ましくは、２つの質量要素を有する本発明によるシステムの場合には、スピーカー及びパッシブラジエータを含む筐体のヘルムホルツ周波数に等しい。
【００１７】
更に、本発明は、本発明によるスピーカーシステムを備える、可聴情報、及び選択的に可視情報を表示する装置に関する。かかる装置は、例えば、音響映像装置若しくはマルチメディア装置である。
【００１８】
これらの請求項に関して、各請求項で定義される特徴的な特性の種々の組み合わせが可能であることを注意されたい。
【００１９】
これより、本発明は、図面を参照しつつ、例を用いてより詳細に説明されるだろう。
【００２０】
図１に示される本発明によるパッシブラジエータは、低音反射スピーカーシステムで使用されるのに適している。本発明のパッシブラジエータは、シャーシ１と、並進方向Ｔでシャーシに対して移動可能なラジエータ本体３と、シャーシ１の要素１ａにラジエータ本体３を柔軟に接続する接続手段とを備える。本例では、要素１ａは、円筒形である。本例のラジエータ本体３は、中央質量要素３ａと、中央質量要素３ａに対し同心円状に配列された３つの質量要素３ｂと、質量要素３ｃと、質量要素３ｄとを備える。本例の中央質量要素３ａは、２つの凸形の端面により閉じられた閉塞の円筒形の壁を有した円筒として構成されている。本例の他の質量要素３ｂ、３ｃ、３ｄも円筒であるが、開放された端面を有する。円筒は、閉塞した円筒形の壁若しくは幾らかの開放した円筒形の壁を有してよい。本例では、接続手段は、４つの接続ユニット５ａ，接続ユニット５ｂ，接続ユニット５ｃ，接続ユニット５ｄを備える。接続ユニット５ａ，５ｂ，５ｃは、２つの各々の近傍の中央質量要素３ａと質量要素３ｂ、質量要素３ｂと質量要素３ｃ、質量要素３ｃと質量要素３ｄを相互に移動可能であるように、接続する役割をする。接続ユニット５ｄは、シャーシ１の要素１ａに質量要素３を移動可能に接続する役割をする。本例では、各接続ユニット５ａ，５ｂ，５ｃ，５ｄは、２つの環状の接続リム５ａ１と接続リム５ａ２、接続リム５ｂ１と接続リム５ｂ２、接続リム５ｃ１と接続リム５ｃ２、接続リム５ｄ１と接続リム５ｄ２によってそれぞれ形成される。本例では、これらの接続リムは、ル形の断面であり、ゴムにより形成される。それらのエッジで、環状の接続リムは、中央質量要素３ａ及び質量要素３ｂ，３ｃ，３ｄとシャーシ１の要素１ａに、適用可能な際には接着剤といったとりわけ知られている固定手段によって接続され、また、それらの形状及び材料特性に基づき、使用中に並進軸Ｔに沿った中央質量要素３ａ及び質量要素３ｂ，３ｃ，３ｄの移動が主に許容されつつ、質量要素の望ましくない回転移動が抑制されるような挙動を有する。本例では、接続リムは、相互に同一であり、２つの対向する接続リム５ａ１と５ａ２、接続リム５ｂ１と５ｂ２、接続リム５ｃ１と５ｃ２、接続リム５ｄ１と５ｄ２の山が対称のサスペンション配列を得るように相互に離間している。
【００２１】
図１に示すような本発明のパッシブラジエータは、相互から独立した４つの質量ばね系を有する。これらの質量ばね系は、隣接する接続リム５ａ１と５ａ２により形成された隣接する接続ユニット５ａを備えた中央質量要素３ａと、隣接する接続リム５ａ１と５ａ２及び接続リム５ｂ１と５ｂ２を備えた質量要素３ｂと、隣接する接続リム５ｂ１と５ｂ２及び接続リム５ｃ１と５ｃ２を備えた質量要素３ｃと、隣接する接続リム５ｃ１と５ｃ２及び接続リム５ｄ１と５ｄ２を備えた質量要素３ｄと、によって形成される。図示された実施例の特徴的な一特性は、質量ばね系のすべてが、中央質量要素３ａ及び質量要素３ｂ，３ｃ，３ｄが動作中に常に同相で移動するように同一又は略同一の共振周波数を有することである。図１に示されたような本発明によるパッシブラジエータの実施例は、並進軸Ｔに同軸である４つの同心の連続した密閉室７ａ、密閉室７ｂ、密閉室７ｃ及び密閉室７ｄを有し、これらは、中央質量要素３ａ、接続リム５ａ１と５ａ２及び質量要素３ｂによって、質量要素３ｂ、接続リム５ｂ１と５ｂ２及び質量要素３ｃによって、質量要素３ｃ、接続リム５ｃ１と５ｃ２及び質量要素３ｄによって、質量要素３ｄ、接続リム５ｄ１と５ｄ２及びシャーシ１の要素１ａによって、それぞれ仕切られている。密閉室７ａ，７ｂ，７ｃ，７ｄのうちの密閉室７ａは、閉じられるか或いは密閉され、更に、ラジエータの休止位置である示された位置での圧力が大気圧に一致する空気で充填される。圧力は、代替的に、大気圧より僅かに高くてもよい。取られる措置は、パッシブラジエータの信頼性のある動作を確認し、中央質量要素３ａのその休止位置からの最大変位は、個々の接続ユニット５ａ，５ｂ，５ｃ，５ｄで許される最大の逸脱量（エクスカーション）の合計である。質量要素３ｂの最大変位は、個々の接続ユニット５ｂ，５ｃ，５ｄの最大逸脱量の合計であり、質量要素３ｃの最大変位は、個々の接続ユニット５ｃ，５ｄの最大逸脱量の合計であり、質量要素３ｄの最大変位は、個々の接続ユニット５ｄの最大逸脱量に一致することは明らかである。大きな空気変動は、ここで得られるラジエータ本体３の比較的大きな最大変位の結果として可能である。
【００２２】
図２に示すような本発明による、実現し易く結果として現実的なパッシブラジエータは、シャーシ１１と、２つの質量要素を備えるラジエータ本体１３とを有する。ラジエータ本体１３は、並進軸Ｔ*でシャーシ１１に対し移動可能である。ラジエータ本体１３は、周縁で閉じられた円筒形の中央質量要素１３ａと、周縁で閉じられた円筒形の質量要素１３ｂとを有する。シャーシ１１は、円筒形の要素１１ａを有する。要素１１ａ、中央質量要素１３ａ及び質量要素１３ｂの全ては、一領域に存在し、相互に同心に配列され、中央質量要素１３ａの中心軸は、並進軸Ｔ*と一致している。中央質量要素１３ａと質量要素１３ｂは、対の弾性の環状接続リム１５ａ１，１５ａ２によって機械的に相互結合される。質量要素１３ｂも、シャーシ１１の要素１１ａに、対の弾性の環状接続リム１５ｂ１，１５ｂ２によって機械的に接続される。この実施例で使用される中央質量要素１３ａ、質量要素１３ｂ及び接続リム１５ａ１，１５ａ２及び接続リム１５ｂ１，１５ｂ２の構成は、２つの質量ばね系が存在することを意味する。これらの質量ばね系は、中央質量要素１３ａ及び対の接続リム１５ａ１，１５ａ２と、質量要素１３ｂ及び接続リム１５ａ１，１５ａ２及び接続リム１５ｂ１，１５ｂ２とによって形成される。これらの質量ばね系は、同一の共振周波数（固有周波数）を有する。接続リム１５ａ１，１５ａ２及び接続リム１５ｂ１，１５ｂ２は、ゴム若しくはその他の気密材料よりなり、これらの全ては、並進軸Ｔ*に平行な方向で柔軟であり可撓性があり、横方向の変形に対して十分な抵抗を付与する。本実施例では、双方共に例えば硬質のプラスティックからなる中央質量要素１３ａ及び質量要素１３ｂと、中央質量要素１３ａと質量要素１３ｂに接続された接続リム１５ａ１，１５ａ２とによって仕切られる空間は、密閉された密閉室１７ａの形式を取り、その中に空気の体積が与えられる。望まれる場合には、質量要素１３ｂと要素１１ａと、これら２つの要素に接続された接続リム１５ｂ１，１５ｂ２とによって仕切られる空間も、密閉された密閉室１７ｂの形式を取り、かかる場合には要素は、周縁で閉じられるべきである。
【００２３】
図２に示される実施例は、休止位置で図示されている。図３は、この実施例の一部を示すが、ここでは、ラジエータ本体１３は、外部の圧力振動の影響を受けて休止位置から逸脱する偏心軸Ｔ*に沿った移動が実行されており、中央質量要素１３ａは、質量要素１３ｂに対して逸脱量Ａを有している。ラジエータの休止位置での接続リム１５ａ１，１５ａ２の形状は、図３中破線で示される。ラジエータの動作位置では、密閉室１７ａの体積は、図３に示されているにように、休止位置での体積より小さい。このことは、中央質量要素１３ａの質量要素１３ｂに対する移動中に空気圧に上昇が生じたことを意味する。以下で言及されるように、圧力のかかる上昇は、接続リム１５ａ１，１５ａ２の挙動に、特にそれらの曲がり形状の維持に関して、好ましい影響を有する。取られた措置の結果として、接続リム１５ａ１，１５ａ２は、驚くほど薄くすることができる。本例では、厚さは、０．３ｍｍである。
【００２４】
更なる実施例の次の説明においては、図２に示された実施例の説明において使用された同一の参照符号が、種々の実施例に於ける同様の部品に対して使用されるだろう。
【００２５】
図４に示す本発明によるラジエータの実施例では、本例では硬質なプラスティックからなる中央質量要素１３ａは、中央質量要素１３ａを同心円状に囲繞する半径方に突出した環状突出部１３ａ１を有する。中央質量要素１３ａと一体型であり、本来的に閉塞された壁を有する環状突出部１３ａ１は、空気が充填され密閉された密閉室１７ａに延在する。環状突出部１３ａ１の存在によって、密閉室１７ａの体積の実質的な低減が生じ、この結果、比較的大きな圧力変動が、質量要素１３ｂに対する質量要素１３ａの軸方向での逸脱中に生じることができる。密閉室１７ａの質量要素１３ｂにより環状突出部１３１ａは狭い通路１９を画成し、狭い通路１９は、シャーシ１に対するラジエータ本体１３の移動中に密閉室１７ａに生成された空気流れに減衰効果を付与する。環状突出部１３ａ１は、好ましくは、半径方向外側に向かって減少していく台形の縦断面を有する。
【００２６】
図５に示す実施例は、本例ではポリウレタンフォームである多孔性材料の環状突出部１３ａ２が固定される中央質量要素１３ａを有する。環状突出部１３ａ２は、密閉室１７ａに設置されるが、動作時に密閉室１７ａに生成される空気流れに減衰効果を与える。環状突出部１３ａ２は、縦断面でみると、歯形であり、隣接する質量要素１３ｂに対向する上部を有する。狭い環状の間隙（ギャップ）２１は、好ましくは、中央質量要素１３ａと質量要素１３ｂとの間に形成される。
【００２７】
図６は、２つの密閉室１７ａ，１７ｂを有した、本発明によるパッシブラジエータの実施例を示す。中央質量要素１３ａは、密閉室１７ａに延在する環状突出部１３ａ２及び中央ベース１３ａ３を有し、中央ベース１３ａ３及び環状突出部１３ａ２は、閉塞した壁を有した一体型の本体を形成している。中央領域には、中央質量要素１３ａは、同調用質量２３を受け入れるキャビティを有する。本例では、シャーシ１１の要素１１ａは、密閉室１７ｂの体積を低減するため環状の内向き突出部１１ａ１を有する。経路２５は、突出部１１ａ１と対向する質量要素１３ｂとの間に位置する。
【００２８】
図７に示す本発明によるスピーカーシステム、即ち低音反射システムは、本例では図２に示す実施例によるラジエータであるが参照符号１０３の本発明によるパッシブラジエータを収容する筐体若しくは音響ボックス１００と、ダイナミックスピーカーとを含む。スピーカー１０２は、動作時、ラジエータ１０３を駆動し、本例のスピーカー及びラジエータは、協働して音響スペクトルの低周波レンジの音響発生を提供する。システムは、結果として、サブウーファ（低音拡声器）デバイスである。システムの筐体１００は、第１の開口部１０４を有し、それを通ってパッシブラジエータ１０３のシャーシ１１が延在しており、更に、第２の開口部１０６を有し、それを通ってスピーカー１０２のシャーシ１０１が延在している。シャーシ１１，１０１は、開口部１０４，１０６をそれぞれ囲繞する筐体の縁部１００ａ，１００ｂに固定される。
【００２９】
パッシブラジエータ１０３のより詳細な説明のため、図２に示すラジエータに関連する本文献における節について参照がなされるが、ラジエータ１０３が備える質量ばね系の共振周波数は、システムのヘルムホルツ共鳴と同一であることに注意されたい。
【００３０】
図示されたシステムで使用されるスピーカー１０２は、円錐形の振動板１０５と電磁気アクチュエータ１０７とを備える。本例では、ダストキャップ１１７が、振動板１０５に存在する。振動板１０５は、開口部１０９を備えた前部１０５ａと、管状の中央要素１１１を備えた後部１０５ｂとを含む。要素１１１は、本例ではコイルの形式を取る、アクチュエータ１０７の第１のアクチュエータ部分１０７ａを保持する。コイル１０７ａは、シャーシ１０１に設置された端子１１０に電気導体１０８を介して電気的に接続される。アクチュエータ１０７は、本例では環状磁石１０７ｂ１と、ヨーク部１０７ｂ２と、シャーシ１０１のシャーシ部分１０１ｂに固定されたヨーク部１０７ｂ３とを含む第２のアクチュエータ部分１０７ｂを更に備える。コイル１０７ａが延在する空気ギャップ１０７ｃは、ヨーク部１０７ｂ２，１０７ｂ３の間に形成される。アクチュエータが起動されるとき、コイル１０７ａ及びそれによって振動板１０５は、二重矢印Ｘにより指示される軸方向に振動板軸１０５ｃに沿って軸方向の逸脱を行う。
【００３１】
スピーカー１０２は、シャーシ１０１に振動板１０５の前部１０５ａを接続させる柔軟性のある接続リム１１５を備えている。本例では、柔軟性の接続リム１１５は、ル形状の断面の環状要素として構成される。例えばポリウレタンからなる接続リム１１５が、振動板１０５及びシャーシ１０１に接着によって接続されてよい。
【００３２】
本例では、スピーカー１０２は、同心の波パターンを有し紡織繊維のような適切な材料よりなるセンタリングディスク形式の柔軟性を有するセンタリング要素１１９を更に備え、センタリング要素１１９は、後部１０５ｂに、特に中央要素１１１にシャーシ１０１を接続する。センタリング要素１１９及び接続リム１１３，１１５は、矢印Ｘで示す軸方向で比較的たるみがあって柔軟であるが、他の方向では比較的に剛であり、その結果、コイル１０７ａを備えた振動板１０５は、シャーシ１０１に対する良好に画成される軸方向の逸脱を実行することができるようになる。明らかであるが、多様に懸架された振動システムを備えたスピーカー要素のような、示されたスピーカー以外の他のスピーカーが使用されてよい。
【００３３】
図８に示す本発明による装置は、フラットパネルのマルチメディアＴＶセットである。装置は、ディスプレイスクリーンと本発明による２つのスピーカーシステムとを収容するキャビネット２０１を有する。キャビネット２０１は、前面にオンオフスイッチを有する。本例のスピーカーシステムは、図７に示すようなスピーカーシステムと一致し、図８において参照番号２０５を有する。各スピーカーシステム２０５は、結果的にスピーカー１０２を備えた筐体１００と、本発明によるパッシブラジエータ１０３とを有する。図示された装置に代わって、本発明の装置は、代替的に従来的なＴＶセット、モニター、一台のオーディオ装置であってよい。更に、装置に使用されるラジエータは、図１、図３、図４、図５若しくは図６に示されたように構成されてよく、若しくは本発明の観点の範囲内の他の態様で構成されてよく、図７に示すスピーカーとは異なるスピーカーが使用されてよい。更に、本発明は、図に示すパッシブラジエータの実施例に限定されない。例えば、２つ、３つ、若しくは４つの質量要素に代わって、４つより多い質量要素が使用されてよく、ル形状の接続リムに代わって、正弦波若しくは異なる形状の適切な接続リムが使用されてよい。
【図面の簡単な説明】
【図１】本発明によるパッシブラジエータの第１の実施例を示す縦断面図である。
【図２】休止状態にある本発明によるパッシブラジエータの第２の実施例を示す縦断面図である。
【図３】動作状態にある本発明によるパッシブラジエータの第２の実施例を示す縦断面図である。
【図４】本発明によるパッシブラジエータの第３の実施例を示す縦断面図である。
【図５】本発明によるパッシブラジエータの第４の実施例を示す縦断面図である。
【図６】本発明によるパッシブラジエータの第５の実施例を示す縦断面図である。
【図７】本発明によるスピーカーの実施例を示す縦断面図である。
【図８】本発明による装置の実施例を示す前面図である。
【図１】
0004756809.tif 000002
【図２】
0004756809.tif 000003
【図３】
0004756809.tif 000004
【図４】
0004756809.tif 000005
【図５】
0004756809.tif 000006
【図６】
0004756809.tif 000007
【図７】
0004756809.tif 000008
【図８】
0004756809.tif 000009